Podtech/llm-jp-corpus-v4-ja_patent huggingface dataset:
【手続補正書】
【提出日】平成28年9月15日(2016.9.15)
【手続補正１】
【補正対象書類名】特許請求の範囲
【補正対象項目名】全文
【補正方法】変更
【補正の内容】
【特許請求の範囲】
【請求項１】
配列番号1〜6のアミノ酸配列を含む抗原結合ドメイン、膜貫通ドメイン、及び細胞内T細胞シグナル伝達ドメインを含む、キメラ抗原受容体（CAR）。
【請求項２】
抗原結合ドメインが、配列番号7を含むアミノ酸配列を含む軽鎖可変領域を含む、請求項1に記載のCAR。
【請求項３】
抗原結合ドメインが、配列番号8を含むアミノ酸配列を含む重鎖可変領域を含む、請求項1又は2に記載のCAR。
【請求項４】
抗原結合ドメインが、配列番号9を含むアミノ酸配列を含む、請求項1〜3のいずれか一項に記載のCAR。
【請求項５】
抗原結合ドメインが、配列番号11を含むリンカーを含む、請求項1〜3のいずれか一項に記載のCAR。
【請求項６】
配列番号10を含むリーダー配列をさらに含む、請求項1〜5のいずれか一項に記載のCAR。
【請求項７】
膜貫通ドメインが、i）CD8の一部及び／又はii）CD28の一部を含む、請求項1〜6のいずれか一項に記載のCAR。
【請求項８】
膜貫通ドメインが、配列番号12若しくは18を含むアミノ酸配列、及び／又は配列番号15を含むアミノ酸配列を含む、請求項1〜7のいずれか一項に記載のCAR。
【請求項９】
細胞内T細胞シグナル伝達ドメインが、i）CD28の細胞内シグナル伝達部分、ii）CD137の細胞内シグナル伝達部分及びiii）CD3ζの細胞内シグナル伝達部分の1つ以上を含む、請求項1〜8のいずれか一項に記載のCAR。
【請求項１０】
細胞内T細胞シグナル伝達ドメインが、配列番号16又は19を含むアミノ酸配列を含む、請求項1〜9のいずれか一項に記載のCAR。
【請求項１１】
細胞内T細胞シグナル伝達ドメインが、配列番号13又は20を含むアミノ酸配列を含む、請求項1〜10のいずれか一項に記載のCAR。
【請求項１２】
細胞内T細胞シグナル伝達ドメインが、配列番号14、17又は21を含むアミノ酸配列を含む、請求項1〜11のいずれか一項に記載のCAR。
【請求項１３】
細胞内T細胞シグナル伝達ドメインが、CD28の細胞内部分を含み、又はCD137の細胞内シグナル伝達部分を含み、かつ、CARが、CD28及びCD137の両方の細胞内シグナル伝達ドメインを含まない、請求項1〜12のいずれか一項に記載のCAR。
【請求項１４】
CARが、1つより多くのT細胞共刺激分子に由来する細胞内シグナル伝達ドメインを含まない、請求項13に記載のCAR。
【請求項１５】
配列番号22〜24のいずれか1つを含むアミノ酸配列を含む、請求項1〜14のいずれか一項に記載のCAR。
【請求項１６】
細胞内シグナル伝達ドメインが、CD137の細胞内シグナル伝達部分及びCD3ζの細胞内シグナル伝達部分を含む、請求項1〜15のいずれか一項に記載のCAR。
【請求項１７】
膜貫通部分が、CD8の一部を含む、請求項16に記載のCAR。
【請求項１８】
膜貫通部分が、CD28の一部を含む、請求項16に記載のCAR。
【請求項１９】
請求項1〜18のいずれか一項に記載のCARをコードするヌクレオチド配列を含む、核酸。
【請求項２０】
配列番号25を含むヌクレオチド配列を含む、請求項19に記載の核酸。
【請求項２１】
配列番号26〜28からなる群から選択されるヌクレオチド配列をさらに含む、請求項20に記載の核酸。
【請求項２２】
配列番号25のヌクレオチド配列及び配列番号26のヌクレオチド配列を含む、請求項21に記載の核酸。
【請求項２３】
配列番号25のヌクレオチド配列及び配列番号27のヌクレオチド配列を含む、請求項21に記載の核酸。
【請求項２４】
請求項19〜23のいずれか一項に記載の核酸を含む、組換え発現ベクター。
【請求項２５】
請求項24に記載の組換え発現ベクターを含む、単離された宿主細胞。
【請求項２６】
請求項25に記載の宿主細胞を少なくとも1つ含む、細胞集団。
【請求項２７】
請求項1〜18のいずれか一項に記載のCAR、請求項19〜23のいずれか一項に記載の核酸、請求項24に記載の組換え発現ベクター、請求項25に記載の宿主細胞、又は請求項26に記載の細胞集団と、医薬上許容される担体とを含む、医薬組成物。
【請求項２８】
哺乳動物において癌の存在を検出する方法であって、
（a）請求項1〜18のいずれか一項に記載のCAR、請求項19〜23のいずれか一項に記載の核酸、請求項24に記載の組換え発現ベクター、請求項25に記載の宿主細胞、請求項26に記載の細胞集団、又は請求項27に記載の医薬組成物と、該哺乳動物由来の1以上の細胞を含むサンプルとを接触させ、それにより複合体を形成すること、及び
（b）該複合体を検出すること
を含み、ここで、該複合体の検出が、該哺乳動物における癌の存在を示す、方法。
【請求項２９】
癌の治療又は予防のための、請求項1〜18のいずれか一項に記載のCAR、請求項19〜23のいずれか一項に記載の核酸、請求項24に記載の組換え発現ベクター、請求項25に記載の宿主細胞、請求項26に記載の細胞集団、又は請求項27に記載の医薬組成物。
【請求項３０】
癌が、B細胞リンパ腫又はB細胞白血病を含む、請求項28に記載の方法。
【手続補正書】
【提出日】平成28年10月31日(2016.10.31)
【手続補正１】
【補正対象書類名】特許請求の範囲
【補正対象項目名】全文
【補正方法】変更
【補正の内容】
【特許請求の範囲】
【請求項１】
プロキネチシン受容体（ＰＲＯＫＲ）に特異的に結合し、ＰＲＯＫＲのプロキネチシン媒介性活性化を遮断する、単離された抗体またはその抗原結合断片。
【請求項２】
細胞表面に発現されたＰＲＯＫＲ１に特異的に結合する、請求項１に記載の抗体または抗原結合断片。
【請求項３】
細胞表面に発現されたＰＲＯＫＲ２に特異的に結合する、請求項１に記載の抗体または抗原結合断片。
【請求項４】
細胞表面に発現されたＰＲＯＫＲ１および細胞表面に発現されたＰＲＯＫＲ２に特異的に結合する、請求項１に記載の抗体または抗原結合断片。
【請求項５】
細胞表面に発現されたＰＲＯＫＲ１に特異的に結合するが、細胞表面に発現されたＰＲＯＫＲ２には結合しない、請求項１に記載の抗体または抗原結合断片。
【請求項６】
ＰＲＯＫＲ１のプロキネチシン−１（ＰＫ１）媒介性活性化を遮断する、請求項１〜５のいずれか１項に記載の抗体または抗原結合断片。
【請求項７】
ＰＲＯＫＲ１のプロキネチシン−２（ＰＫ２）媒介性活性化を遮断する、請求項１〜５のいずれか１項に記載の抗体または抗原結合断片。
【請求項８】
ＰＲＯＫＲ１のプロキネチシン−１（ＰＫ１）媒介性活性化およびＰＲＯＫＲ１のプロキネチシン−２（ＰＫ２）媒介性活性化を遮断する、請求項１〜５のいずれか１項に記載の抗体または抗原結合断片。
【請求項９】
ｉｎ  ｖｉｔｒｏで１〜２０ｎＭのＰＫ１で刺激されたＰＲＯＫＲ１発現細胞を用いるカルシウム動員アッセイにおいて測定された場合、２０ｎＭ未満のＩＣ５０でＰＲＯＫＲ１のＰＫ１媒介性活性化を遮断する、請求項６に記載の抗体または抗原結合断片。
【請求項１０】
ｉｎ  ｖｉｔｒｏで１〜２０ｎＭのＰＫ１で刺激されたＰＲＯＫＲ１発現細胞を用いるカルシウム動員アッセイにおいて測定された場合、１０ｎＭ未満のＩＣ５０でＰＲＯＫＲ１のＰＫ１媒介性活性化を遮断する、請求項９に記載の抗体または抗原結合断片。
【請求項１１】
ｉｎ  ｖｉｔｒｏで１〜２０ｎＭのＰＫ２で刺激されたＰＲＯＫＲ１発現細胞を用いるカルシウム動員アッセイにおいて測定された場合、６０ｎＭ未満のＩＣ５０でＰＲＯＫＲ１のＰＫ２媒介性活性化を遮断する、請求項７に記載の抗体または抗原結合断片。
【請求項１２】
ｉｎ  ｖｉｔｒｏで１〜２０ｎＭのＰＫ２で刺激されたＰＲＯＫＲ１発現細胞を用いるカルシウム動員アッセイにおいて測定された場合、２０ｎＭ未満のＩＣ５０でＰＲＯＫＲ１のＰＫ２媒介性活性化を遮断する、請求項１１に記載の抗体または抗原結合断片。
【請求項１３】
配列番号２／１０、１８／２６、３４／４２、５０／５８、６６／７４、８２／９０、９８／１０６、１１４／１２２、１３０／１３８、１４６／１５４、および１６２／１７０からなる群から選択されるＨＣＶＲ／ＬＣＶＲ配列の対を含む参照抗体と、細胞表面に発現されたＰＲＯＫＲ１または細胞表面に発現されたＰＲＯＫＲ２への結合について競合する、請求項１〜１２のいずれか１項に記載の抗体または抗原結合断片。
【請求項１４】
（ａ）配列番号２、１８、３４、５０、６６、８２、９８、１１４、１３０、１４６、および１６２からなる群から選択されるアミノ酸配列を有する重鎖可変領域（ＨＣＶＲ）の相補性決定領域（ＣＤＲ）；ならびに（ｂ）配列番号１０、２６、４２、５８、７４、９０、１０６、１２２、１３８、１５４、および１７０からなる群から選択されるアミノ酸配列を有する軽鎖可変領域（ＬＣＶＲ）のＣＤＲを含む、請求項１〜１２のいずれか１項に記載の抗体または抗原結合断片。
【請求項１５】
配列番号２／１０、１８／２６、３４／４２、５０／５８、６６／７４、８２／９０、９８／１０６、１１４／１２２、１３０／１３８、１４６／１５４、および１６２／１７０からなる群から選択されるＨＣＶＲ／ＬＣＶＲアミノ酸配列の対の重鎖および軽鎖ＣＤＲを含む、請求項１４に記載の単離された抗体または抗原結合断片。
【請求項１６】
配列番号４−６−８−１２−１４−１６；２０−２２−２４−２８−３０−３２；３６−３８−４０−４４−４６−４８；５２−５４−５６−６０−６２−６４；６８−７０−７２−７６−７８−８０；８４−８６−８８−９２−９４−９６；１００−１０２−１０４−１０８−１１０−１１２；１１６−１１８−１２０−１２４−１２６−１２８；１３２−１３４−１３６−１４０−１４２−１４４；１４８−１５０−１５２−１５６−１５８−１６０；および１６４−１６６−１６８−１７２−１７４−１７６からなる群からそれぞれ選択されるＨＣＤＲ１−ＨＣＤＲ２−ＨＣＤＲ３−ＬＣＤＲ１−ＬＣＤＲ２−ＬＣＤＲ３ドメインを含む、請求項１５に記載の単離された抗体または抗原結合断片。
【請求項１７】
（ａ）配列番号２、１８、３４、５０、６６、８２、９８、１１４、１３０、１４６、および１６２からなる群から選択されるアミノ酸配列を有する重鎖可変領域（ＨＣＶＲ）；ならびに（ｂ）配列番号１０、２６、４２、５８、７４、９０、１０６、１２２、１３８、１５４、および１７０からなる群から選択されるアミノ酸配列を有する軽鎖可変領域（ＬＣＶＲ）を含む、請求項１〜１２のいずれか１項に記載の抗体または抗原結合断片。
【請求項１８】
配列番号２／１０、１８／２６、３４／４２、５０／５８、６６／７４、８２／９０、９８／１０６、１１４／１２２、１３０／１３８、１４６／１５４、および１６２／１７０からなる群から選択されるＨＣＶＲ／ＬＣＶＲアミノ酸配列の対を含む、請求項１７に記載の単離された抗体または抗原結合断片。
【請求項１９】
請求項１〜１８のいずれか１項に記載の抗体または抗原結合断片と、薬学的に許容される担体または希釈剤とを含む医薬組成物。
【請求項２０】
疼痛を処置、または緩和するための、請求項１９に記載の医薬組成物。
【請求項２１】
疼痛が侵害受容性疼痛、内臓痛、または炎症性疼痛である、請求項２０に記載の医薬組成物。
【請求項２２】
疼痛が炎症、術後切開、神経障害、骨折、熱傷、骨粗鬆症性骨折、骨のがん、痛風、片頭痛、および線維筋痛からなる群から選択される状態に関連する、請求項２１に記載の医薬組成物。
【請求項２３】
疼痛ががん関連疼痛である、請求項２０に記載の医薬組成物。
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
ａ）配列番号１、２および３の配列を含んでなる３つの軽鎖ＣＤＲと、配列番号４、５および６の配列を含んでなる３つの重鎖ＣＤＲとを含んでなる抗体；
ｂ）配列番号３６、３７および３８の配列を含んでなる３つの軽鎖ＣＤＲと、配列番号３９、４０および４１の配列を含んでなる３つの重鎖ＣＤＲとを含んでなる抗体；
ｃ）配列番号６４、６５および６６の配列を含んでなる３つの軽鎖ＣＤＲと、配列番号６７、６８および６９の配列を含んでなる３つの重鎖ＣＤＲとを含んでなる抗体
からなる群から選択される抗体からなる、抗原結合タンパク質、またはその抗原結合フラグメント。
【請求項２】
配列番号１、２および３の配列を含んでなる３つの軽鎖ＣＤＲと、配列番号８の配列または配列番号８と少なくとも８０％の同一性を示す任意の配列の重鎖可変ドメインとを含んでなる、請求項１に記載の抗原結合タンパク質、またはその任意の抗原結合フラグメント。
【請求項３】
配列番号７の配列または配列番号７と少なくとも８０％の同一性を示す任意の配列の軽鎖可変ドメインと、配列番号４、５および６の配列を含んでなる３つの重鎖ＣＤＲとを含んでなる、請求項１に記載の抗原結合タンパク質、またはその任意の抗原結合フラグメント。
【請求項４】
配列番号３６、３７および３８の配列を含んでなる３つの軽鎖ＣＤＲと、配列番号４３の配列または配列番号４３と少なくとも８０％の同一性を示す任意の配列の重鎖可変ドメインとを含んでなる、請求項１に記載の抗原結合タンパク質、またはその任意の抗原結合フラグメント。
【請求項５】
配列番号４２の配列または配列番号４２と少なくとも８０％の同一性を示す任意の配列の軽鎖可変ドメインと、配列番号３９、４０および４１の配列を含んでなる３つの重鎖ＣＤＲとを含んでなる、請求項１に記載の抗原結合タンパク質、またはその抗原結合フラグメント。
【請求項６】
配列番号６４、６５および６６の配列を含んでなる３つの軽鎖ＣＤＲと、配列番号７１の配列または配列番号７１と少なくとも８０％の同一性を示す任意の配列の重鎖可変ドメインとを含んでなる、請求項１に記載の抗原結合タンパク質、またはその抗原結合フラグメント。
【請求項７】
配列番号７０の配列または配列番号７０と少なくとも８０％の同一性を示す任意の配列の軽鎖可変ドメインと、配列番号６７、６８および６９の配列を含んでなる３つの重鎖ＣＤＲとを含んでなる、請求項１に記載の抗原結合タンパク質、またはその抗原結合フラグメント。
【請求項８】
配列番号７の配列または配列番号７と少なくとも８０％の同一性を示す任意の配列の軽鎖可変ドメインと、配列番号８の配列または配列番号８と少なくとも８０％の同一性を示す任意の配列の重鎖可変ドメインとを含んでなる、請求項１に記載の抗原結合タンパク質、またはその抗原結合フラグメント。
【請求項９】
配列番号４２の配列または配列番号４２と少なくとも８０％の同一性を示す任意の配列の軽鎖可変ドメインと、配列番号４３の配列または配列番号４３と少なくとも８０％の同一性を示す任意の配列の重鎖可変ドメインとを含んでなる、請求項１に記載の抗原結合タンパク質、またはその抗原結合フラグメント。
【請求項１０】
配列番号７０の配列または配列番号７０と少なくとも８０％の同一性を示す任意の配列の軽鎖可変ドメインと、配列番号７１の配列または配列番号７１と少なくとも８０％の同一性を示す任意の配列の重鎖可変ドメインとを含んでなる、請求項１に記載の抗原結合タンパク質、またはその抗原結合フラグメント。
【請求項１１】
ａ）２００８年４月２日にＣＮＣＭ（パスツール研究所、フランス）に寄託されたハイブリドーマＩ−３９５９に由来するモノクローナル抗体１１０Ｄ７またはその抗原結合フラグメント；
ｂ）２０１１年７月２８日にＣＮＣＭ（パスツール研究所、フランス）に寄託された、ハイブリドーマＩ−４４９９に由来するモノクローナル抗体１００３Ａ２またはその抗原結合フラグメント；
ｃ）２０１１年７月２８日にＣＮＣＭ（パスツール研究所、フランス）に寄託されたハイブリドーマＩ−４５０１に由来するモノクローナル抗体１０２４Ｇ１１、またはその抗原結合フラグメント
からなる群から選択されるモノクローナル抗体からなる、請求項１に記載の抗原結合タンパク質。
【請求項１２】
ａ）２００８年４月２日にＣＮＣＭ（パスツール研究所、フランス）に寄託されたマウスハイブリドーマＩ−３９５９；
ｂ）２０１１年７月２８日にＣＮＣＭ（パスツール研究所、フランス）に寄託されたマウスハイブリドーマＩ−４４９９；
ｃ）２０１１年７月２８日にＣＮＣＭ（パスツール研究所、フランス）に寄託されたマウスハイブリドーマＩ−４５０１
から選択される、マウスハイブリドーマ。
【請求項１３】
タンパク質Ａｘｌ細胞外ドメイン、好ましくは、ヒトタンパク質Ａｘｌ細胞外ドメイン、より好ましくは、配列番号３１もしくは３２の配列またはその天然変異体配列を有するヒトタンパク質Ａｘｌ細胞外ドメインに局在するエピトープからなる宿主標的部位に、細胞傷害性薬剤を送達するためのアドレッシング産物として使用するための、請求項１〜１１のいずれか一項に記載の抗原結合タンパク質、またはその抗原結合フラグメント。
【請求項１４】
細胞傷害性薬剤と結合された請求項１〜１１および１３のいずれか一項に記載の抗原結合タンパク質またはその抗原結合フラグメントを含んでなる免疫複合体。
【請求項１５】
癌の治療に使用するための、請求項１４に記載の免疫複合体を含んでなる医薬組成物。
【請求項１６】
請求項１４に記載の免疫複合体と少なくとも１種類の賦形剤および／または薬学的に許容可能なビヒクルとを含んでなる医薬組成物。
【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
次式ＣｏｎｊＡ、ＣｏｎｊＢ、ＣｏｎｊＣ、ＣｏｎｊＤ又はＣｏｎｊＥの結合体：
ＣｏｎｊＡ
【化１】
2016502504.tif 000001
；
ＣｏｎｊＢ
【化２】
2016502504.tif 000002
；
ＣｏｎｊＣ：
【化３】
2016502504.tif 000003
；
ＣｏｎｊＤ
【化４】
2016502504.tif 000004
又はＣｏｎｊＥ：
【化５】
2016502504.tif 000005
（式中、ＡｂはＨＥＲ２に結合する抗体であり、該抗体は配列番号１に従う配列を有するＶＨドメインを含み、抗体（Ａｂ）に対する薬剤（Ｄ）の薬剤負荷（ｐ）は１〜約８の整数である。）。
【請求項２】
前記抗体がＶＬドメインと対になったＶＨドメインを含み、該ＶＨドメイン及びＶＬドメインが配列番号２と対になった配列番号１の配列を有する、請求項１に記載の結合体。
【請求項３】
前記抗体がそのままの抗体である、請求項１又は２に記載の結合体。
【請求項４】
前記抗体が配列番号４の配列を有する軽鎖と対になった配列番号３の配列を有する重鎖を含む、請求項３に記載の結合体。
【請求項５】
前記抗体が配列番号３の配列を有する２種の重鎖を含み、それぞれが配列番号４の配列を有する軽鎖と対になった、請求項４に記載の結合体。
【請求項６】
前記抗体がヒト化、脱免疫化又は再表面化されている、請求項１〜５のいずれかに記載の結合体。
【請求項７】
ｐが１、２、３又は４である、請求項１に記載の結合体。
【請求項８】
前記抗体−薬剤結合体化合物の混合物を含み、前記抗体−薬剤結合体化合物の混合物中における抗体当たりの平均薬剤負荷が約２〜約５である、請求項７に記載の結合体。
【請求項９】
治療に使用するための、請求項１〜８のいずれかに記載の結合体。
【請求項１０】
被験体における増殖性疾患の治療に使用するための、請求項１〜８のいずれかに記載の結合体。
【請求項１１】
前記疾患が癌である、請求項１０に記載の結合体。
【請求項１２】
請求項１〜８のいずれかに記載の結合体と、薬学的に許容される希釈剤、キャリア又は賦形剤とを含む医薬組成物。
【請求項１３】
化学療法剤の治療有効量をさらに含む、請求項１２に記載の医薬組成物。
【請求項１４】
請求項１〜８のいずれかに記載の結合体の、被験体における増殖性疾患の治療に使用するための薬剤の製造における使用。
【請求項１５】
請求項１２又は１３に記載の医薬組成物の、被験体における癌の治療に使用するための医薬品の製造における使用。
【手続補正書】
【提出日】平成28年10月21日(2016.10.21)
【手続補正１】
【補正対象書類名】特許請求の範囲
【補正対象項目名】全文
【補正方法】変更
【補正の内容】
【特許請求の範囲】
【請求項１】
組成物であって、非小細胞肺癌細胞株由来のオートファゴソームの強化された集団を含み、ここで前記オートファゴソームの強化された集団は、
１つ以上のトル様受容体アゴニストと、
１つ以上の腫瘍抗原と、
１つ以上の傷害関連分子パターンの分子と、
を含む組成物。
【請求項２】
請求項１に記載の組成物であって、前記１つ以上のトル様受容体アゴニストが、トル様受容体２、トル様受容体３、トル様受容体４、トル様受容体７、および／もしくはトル様受容体９のアゴニスト、またはそれらの組み合わせを含む、組成物。
【請求項３】
請求項２に記載の組成物であって、前記１つ以上の腫瘍抗原が、ＷＴ１、ｐ５３、スルビビン、ＥｐｈＡ２、サイクリンＢ１、および／もしくはＸＡＧＥ１またはそれらの組み合わせを含む、組成物。
【請求項４】
請求項３に記載の組成物であって、前記１つ以上の傷害関連分子パターンの分子が、カルレティキュリン、ＨＭＧＢ１、ＨＳＰ７０、ＨＳＰ９０、および／もしくはＧｒｐ９４、またはそれらの組み合わせを含む、組成物。
【請求項５】
請求項４に記載の組成物であって、前記非小細胞肺癌細胞株が、ＵｂＬＴ３細胞株である、組成物。
【請求項６】
請求項４に記載の組成物であって、前記非小細胞肺癌細胞株が、ＵｂＬＴ６細胞株である、組成物。
【請求項７】
請求項１に記載の組成物であって、前記オートファゴソームの強化された集団を含む前記１つ以上の腫瘍抗原に対する免疫応答を増強するように構成された分子をさらに含んでいる、組成物。
【請求項８】
請求項７に記載の組成物であって、前記分子が、ポリイノシン：ポリシチジル酸である、組成物。
【請求項９】
請求項７に記載の組成物であって、さらに非特異的なアジュバントを含んでいる、組成物。
【請求項１０】
請求項９に記載の組成物であって、前記非特異的なアジュバントがＩＦＮ−γである、組成物。
【請求項１１】
哺乳動物において特異的な免疫応答を誘導するための組成物であって、
細胞株由来のオートファゴソームの強化された集団を含み、前記オートファゴソームの強化された集団が、
１つ以上のトル様受容体アゴニストと、
１つ以上の腫瘍抗原と、
１つ以上の傷害関連分子パターンの分子と、
を含む、組成物。
【請求項１２】
請求項１１に記載の組成物であって、
前記哺乳動物の末梢血から単離された末梢血単核球の小集団と前記オートファゴソームの強化された集団とを接触させ、
単離された末梢血単核球の前記接触された小集団を前記哺乳動物に注入して戻すための、組成物。
【請求項１３】
請求項１２に記載の組成物であって、前記単離された末梢血単核球の前記小集団が、専門的な抗原提示細胞および非専門的な抗原提示細胞を含む、組成物。
【請求項１４】
請求項１２に記載の組成物であって、前記末梢血単核球が、ＧＭ−ＣＳＦ、Ｆｌｔ３Ｌ、および／またはＣｐＧの投与後に前記哺乳動物から単離される、組成物。
【請求項１５】
請求項１１に記載の組成物であって、前記細胞株がＣＤ８０を発現するように遺伝子操作されている、組成物。
【請求項１６】
請求項１１に記載の組成物であって、前記細胞株がサイトメガロウイルスタンパク質ｐｐ６５を発現するように遺伝子操作されている、組成物。
【請求項１７】
請求項１１に記載の組成物であって、
前記１つ以上の腫瘍抗原に対して特異的な１つ以上のサイトカインの分泌を検出することによって、前記オートファゴソームの強化された集団に含まれる前記１つ以上の腫瘍抗原に対する特異的な免疫応答の誘導についてスクリーニングするための、組成物。
【請求項１８】
末梢血単核球の小集団に対して選択的なマーカの発現を誘導できる同種異系のオートファゴソーム強化組成物を生成する細胞をスクリーニングするための方法であって、
細胞とプロテアソームインヒビタとを接触させるステップと、
前記細胞とリソソームインヒビタとを接触させるステップと、
前記得られたオートファゴソームを回収するステップと、
前記回収されたオートファゴソームの分子署名を決定するステップと、
１つ以上のトル様受容体アゴニストおよび／または１つ以上の分子シャペロンを前記回収されたオートファゴソームに転用する細胞を選択するステップと、
を包含する、方法。
【請求項１９】
請求項１８に記載の方法であって、前記選択マーカがＢＤＣＡ３であり、かつ末梢血単核球の前記小集団が樹状細胞を含む、方法。
【請求項２０】
請求項１８に記載の方法であって、前記選択マーカがＣＤ８０であり、かつ末梢血単核球の前記小集団が単球を含む、方法。
【手続補正書】
【提出日】平成28年10月31日(2016.10.31)
【手続補正１】
【補正対象書類名】特許請求の範囲
【補正対象項目名】全文
【補正方法】変更
【補正の内容】
【特許請求の範囲】
【請求項１】
pH6-7においてトレハロース、ヒスチジン及びTAT-NR2B9c(配列番号:6)を含む、未凍結乾燥製剤。
【請求項２】
前記TAT-NR2B9cは、70-120mg/mlの濃度であり、前記ヒスチジンは、15-100mMの濃度であり、前記トレハロースは、80-160mMの濃度である、請求項1に記載の未凍結乾燥製剤。
【請求項３】
前記TAT-NR2B9cは、70-120mg/mlの濃度であり、前記ヒスチジンは、20-100mMの濃度であり、前記トレハロースは、100-140mMの濃度である、請求項1に記載の未凍結乾燥製剤。
【請求項４】
前記Tat-NR2B9cは、70-120mg/mlの濃度であり、前記ヒスチジンは、20-50mMの濃度であり、前記トレハロースは、100-140mMの濃度である、請求項1に記載の未凍結乾燥製剤。
【請求項５】
前記ヒスチジンの濃度は、20mMであり、前記トレハロースの濃度は、100-200mM、好ましくは120mMであり、前記TAT-NR2B9cの濃度は、90mg/mlである、請求項1に記載の未凍結乾燥製剤。
【請求項６】
請求項1-5のいずれかに記載の未凍結乾燥製剤を凍結乾燥することによって作成された凍結乾燥製剤。
【請求項７】
請求項6に記載の凍結乾燥製剤と水溶液との組み合わせによって作成された、再構成製剤。
【請求項８】
前記水溶液は、水又は正常生理食塩水である、請求項7に記載の再構成製剤。
【請求項９】
前記再構成製剤の量は、未凍結乾燥製剤の量の3-6倍である、請求項7に記載の再構成製剤。
【請求項１０】
pH 6-7での20-30mMの濃度におけるトレハロース、4-20mMの濃度におけるヒスチジン及び15-25mg/mlの濃度におけるTAT-NR2B9cを含む、再構成製剤。
【請求項１１】
CNSに脳卒中若しくは外傷、くも膜下出血又は動脈瘤に関する血管内修復を受けている患者を治療するための、請求項10に記載の再構成製剤。
【請求項１２】
室温で少なくとも1週間、請求項4に記載の凍結乾燥製剤サンプルを保存するステップと、前記凍結乾燥製剤を再構成するステップと、を有する、製剤作成方法。
【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
負荷を駆動するための駆動装置であって、
前記駆動装置を電圧源に接続する及び前記電圧源から入力電圧を受け取るための入力端子と、
前記駆動装置を前記負荷に接続するための少なくとも１つの出力端子と、
駆動電圧を前記負荷に給電するための出力電圧に変換するための電磁コンバータユニットと、
前記電磁コンバータユニットに対する前記駆動電圧として可変的な電圧を供給するための前記入力端子に接続されている２つの制御可能なスイッチと、
第１の前記制御可能なスイッチを前記電磁コンバータユニットの部材において測定された電気信号及び閾値レベルに基づいて制御する、及び第２の前記制御可能なスイッチを前記２つの制御可能なスイッチのオン時間が独立な期間を有する値に設定された制御パラメータに基づいて制御するための制御ユニットと、
を有する駆動装置。
【請求項２】
前記制御ユニットは、交互する制御可能なスイッチを切替え、前記電磁コンバータユニットに高電圧又は低電圧を供給するために、前記制御可能なスイッチの上側のスイッチは高電圧レベルに割り当てられ、前記制御可能なスイッチの下側のスイッチは低電圧レベルに割り当てられている、請求項１に記載の駆動装置。
【請求項３】
前記閾値レベルは、第１の閾値電圧であり、前記制御パラメータは第２の閾値電圧であり、２つの前記閾値電圧は異なる絶対値に設定されている、請求項１又は２に記載の駆動装置。
【請求項４】
前記制御パラメータは、前記第２の制御可能なスイッチのオン時間期間である、請求項１又は２に記載の駆動装置。
【請求項５】
第１の前記閾値電圧は上側の前記制御可能なスイッチを制御するための上側の閾値レベルであり、下側の前記制御可能なスイッチのオン時間期間が制御される、請求項４に記載の駆動装置。
【請求項６】
第１の前記閾値電圧は下側の前記制御可能なスイッチを制御するための下側の閾値レベルであり、上側の前記制御可能なスイッチのオン時間期間が制御される、請求項４に記載の駆動装置。
【請求項７】
前記電磁コンバータユニットに結合されている結合部材と、第１の電圧を測定するために前記結合部材に接続されているフルブリッジ整流器持つ第１の測定回路と、第２の電圧を測定するために前記結合部材に接続されているハーフブリッジ整流器を持つ第２の測定回路とを含む測定装置を更に有する、請求項１乃至６の何れか一項に記載の駆動装置。
【請求項８】
負荷を駆動するための駆動装置であって、
前記駆動装置を電圧源に接続する及び入力電圧を受け取るための入力端子と、
前記駆動装置を前記負荷に接続するための少なくとも１つの出力端子と、
駆動電圧を前記負荷に給電するための出力電圧に変換するための電磁コンバータユニットと、
前記電磁コンバータユニットに結合されている結合部材、第１の電圧を測定するために前記結合部材に接続されているフルブリッジ整流器を持つ第１の測定回路、及び第２の電圧を測定するために前記結合部材に接続されているハーフブリッジ整流器を有する第２の測定回路を含む測定装置と、
を有する駆動装置。
【請求項９】
前記結合部材は、電磁コンバータユニットに結合されている巻線を有する、請求項７又は８に記載の駆動装置。
【請求項１０】
前記電磁コンバータユニットは、前記負荷に前記出力電圧を供給するための第１及び第２の二次巻線並びに一次巻線を有し、前記第１の測定回路により測定される前記第１の電圧は、前記第１及び第２の二次巻線により供給される二次電圧の組合せに対応し、前記第２の測定回路により測定される前記第２の電圧は、前記第１の二次巻線により供給される二次出力電圧に対応している、請求項７乃至９の何れか一項に記載の駆動装置。
【請求項１１】
前記測定装置は、前記第1の電圧及び前記第２の電圧に基づいて前記第２の二次巻線により供給される第２の出力電圧を決定する、請求項１０に記載の駆動装置。
【請求項１２】
請求項１乃至１１の何れか一項に記載の記載の駆動装置であって、
前記電磁コンバータユニットに接続されている単一の整流ユニットであって、前記負荷に対する前記出力電圧として半波整流された電圧を供給する前記整流ユニット、
を有する駆動装置。
【請求項１３】
前記整流ユニットは、前記負荷に給電するために前記負荷に前記出力電圧を供給するハーフブリッジ整流器ユニットである、請求項１２に記載の駆動装置。
【請求項１４】
前記制御ユニットは、前記入力電圧に基づいて前記第２の制御可能なスイッチの前記オン時間期間を制御するための前記入力端子のうちの少なくとも１つに接続されている時間制御デバイスを有する、請求項４乃至１３の何れか一項に記載の駆動装置。
【請求項１５】
負荷を駆動する駆動方法であって、
２つの制御可能なスイッチによって電磁コンバータユニットに対する駆動電圧として可変的な電圧を供給するステップと、
前記電磁コンバータユニットによって前記駆動電圧を前記負荷に給電するための出力電圧に変換するステップと、
前記電磁コンバータユニットの部材において測定される電気信号及び閾値レベルに基づいて第１の前記制御可能なスイッチを制御する、及び前記２つの制御可能なスイッチのオン時間が独立な期間を有する値に設定されている制御パラメータに基づいて第２の前記制御可能なスイッチを制御するステップと、
を有する方法。
【手続補正書】
【提出日】平成28年10月28日(2016.10.28)
【手続補正１】
【補正対象書類名】特許請求の範囲
【補正対象項目名】全文
【補正方法】変更
【補正の内容】
【特許請求の範囲】
【請求項１】
第１のデバイスとの関連付けが維持されている間、前記第１のデバイスを介してデータを通信することと、
前記第１のデバイスとの前記関連付けを維持しながら、第２のデバイスとの関連付けを開始するために事前関連付け動作を実行することと、
第１の１つまたは複数の条件に基づいて、前記第２のデバイスとの関連付けを完了し、前記第２のデバイスとデータを通信すべきかどうかを決定することと、ここにおいて、前記第２のデバイスとの関連付けを完了することが、前記第１のデバイスから前記第２のデバイスへのハンドオフの完了を示すフレームを送信することを備える、
その後、前記第２のデバイスとの前記関連付けを確立した後、ある時間期間の間、前記第１のデバイスとの前記関連付けを維持することと、
前記第２のデバイスに関連付けた後、前記第２のデバイスとの前記関連付けが適切であることがわからなかった場合、前記時間期間内に、前記第１のデバイスとデータを通信することを再開することと
を備える、装置によるワイヤレス通信のための方法。
【請求項２】
前記事前関連付け動作が、前記第２のデバイスを用いた認証、鍵交換、またはインターネットプロトコル（ＩＰ）アドレス割当てのうちの少なくとも１つを備える、請求項１に記載の方法。
【請求項３】
前記事前関連付け動作が、事前関連付けを示すフィールドをもつ関連付けフレームを送信することを備える、請求項１に記載の方法。
【請求項４】
前記フレームが、ＮＵＬＬデータフレーム、または肯定応答を送信請求する管理フレームのうちの少なくとも１つを備える、請求項１に記載の方法。
【請求項５】
前記１つまたは複数の条件がハンドオフトリガ条件を備える、請求項１に記載の方法。
【請求項６】
前記１つまたは複数の条件が前記第２のデバイスのＩＰサブネットを伴う、請求項１に記載の方法。
【請求項７】
第１のデバイスとの関連付けが維持されている間、前記第１のデバイスを介してデータを通信するための手段と、
前記第１のデバイスとの前記関連付けを維持しながら、第２のデバイスとの関連付けを開始するために事前関連付け動作を実行するための手段と、
第１の１つまたは複数の条件に基づいて、前記第２のデバイスとの関連付けを完了し、前記第２のデバイスとデータを通信すべきかどうかを決定するための手段と、ここにおいて、前記第２のデバイスとの関連付けを完了することが、前記第１のデバイスから前記第２のデバイスへのハンドオフの完了を示すフレームを送信することを備える、
その後、前記第２のデバイスとの前記関連付けを確立した後、ある時間期間の間、前記第１のデバイスとの前記関連付けを維持するための手段と、
前記第２のデバイスに関連付けた後、前記第２のデバイスとの前記関連付けが適切であることがわからなかった場合、前記時間期間内に、前記第１のデバイスとデータを通信することを再開するための手段と
を備える、ワイヤレス通信のための装置。
【請求項８】
前記事前関連付け動作が、前記第２のデバイスを用いた認証、鍵交換、またはインターネットプロトコル（ＩＰ）アドレス割当てのうちの少なくとも１つを備える、請求項７に記載の装置。
【請求項９】
前記事前関連付け動作が、事前関連付けを示すフィールドをもつ関連付けフレームを送信することを備える、請求項７に記載の装置。
【請求項１０】
前記フレームが、ＮＵＬＬデータフレーム、または肯定応答を送信請求する管理フレームのうちの少なくとも１つを備える、請求項７に記載の装置。
【請求項１１】
前記１つまたは複数の条件がハンドオフトリガ条件を備える、請求項７に記載の装置。
【請求項１２】
前記１つまたは複数の条件が前記第２のデバイスのＩＰサブネットを伴う、請求項７に記載の装置。
【請求項１３】
コンピュータ上で実行されると、請求項１乃至６のうちのいずれか一項に記載の方法を行うための命令を備える、コンピュータプログラム。
【手続補正書】
【提出日】平成28年7月21日(2016.7.21)
【手続補正１】
【補正対象書類名】特許請求の範囲
【補正対象項目名】全文
【補正方法】変更
【補正の内容】
【特許請求の範囲】
【請求項１】
患者の身体の血管内に血管内フィルタを導入するための搬送装置であって、
管腔を規定する環状壁を有するシースと、
前記管腔内に位置決めされる血管内フィルタと、
前記血管内フィルタのアプリケーション側に位置する超音波トランスデューサと、を備える、搬送装置。
【請求項２】
前記管腔を通って延び、アプリケーション側端部を含むガイドワイヤカニューレを含む、請求項１に記載の搬送装置。
【請求項３】
前記搬送装置のアプリケーション側端部に位置する拡張器を含む、請求項１に記載の搬送装置。
【請求項４】
前記超音波トランスデューサは、３Ｄスキャン機能を提供するために構成され、配置される、請求項１に記載の搬送装置。
【請求項５】
患者の身体の血管内に血管内フィルタを導入するための搬送装置であって、前記搬送装置は、
管腔を規定する環状壁を有するシースと、
前記管腔内に位置決めされる血管内フィルタと、
前記血管内フィルタのアプリケーション側に位置決めされる超音波トランスデューサと、
前記管腔を通って延び、アプリケーション側端部を含むガイドワイヤカニューレと、
前記搬送装置のアプリケーション側端部に位置する拡張器とを備え、前記拡張器は前記ガイドワイヤカニューレのアプリケーション側端部を受ける、搬送装置。
【請求項６】
前記血管内フィルタは複数のプライマリストラットおよび複数のセカンダリストラットを含む、請求項５に記載の搬送装置。
【請求項７】
前記血管内フィルタは、ハブと取り外しフックとをさらに含む、請求項５に記載の搬送装置。
【請求項８】
前記取り外しフックは、前記ハブのアプリケーション側面を越えて延びるように構成され配置される、請求項７に記載の搬送装置。
【請求項９】
前記複数のプライマリストラットと前記複数のセカンダリストラットとは前記ハブに取り付けられている、請求項７に記載の搬送装置。
【請求項１０】
前記ハブは傾斜部に隣接する、請求項７に記載の搬送装置。
【請求項１１】
前記超音波トランスデューサの制御側部は、前記シースの管腔内に受けられる、請求項５に記載の搬送装置。
【請求項１２】
前記ガイドワイヤカニューレは、アプリケーション側部と、制御側部と、前記アプリケーション側部と前記制御側部との間に配置される傾斜部とを含む、請求項５に記載の搬送装置。
【請求項１３】
前記シースは、前記超音波トランスデューサと独立して制御側方向に移動可能に構成され配置される、請求項５に記載の搬送装置。
【請求項１４】
前記血管内フィルタは、前記超音波トランスデューサと独立してアプリケーション側方向に移動可能に構成され配置される、請求項５に記載の搬送装置。
【請求項１５】
前記シースと前記血管内のフィルタとは、前記シースの回転が前記血管内フィルタの回転を引き起こすよう、それぞれ協働して構成され配置される、請求項５に記載の搬送装置。
【請求項１６】
前記血管内のフィルタは、超音波によって撮像されたときに前記血管内フィルタの可視化を向上させるためにエコー源性の機能を付加することにより変更される、請求項５に記載の搬送装置。
【請求項１７】
患者の下大静脈内ＩＶＣフィルタの配置のための搬送装置であって、前記搬送装置は
管腔を規定する環状壁を有するシースと、
前記管腔内に位置決めされるＩＶＣフィルタと、
前記ＩＶＣフィルタのアプリケーションの側に位置決めされるＩＶＵＳトランスデューサと、
前記管腔を通って延び、前記ＩＶＵＳトランスデューサの前記のアプリケーション側で終端するガイドワイヤカニューレと、
前記ガイドワイヤカニューレに組み込まれる拡張器と、を備え、前記ＩＶＵＳトランスデューサは前記拡張器と前記ＩＶＣフィルタとの間に配置される、搬送装置。
【請求項１８】
前記ＩＶＣフィルタは、複数のストラットとハブと除去フックとを含む、請求項１７に記載の搬送装置。
【請求項１９】
前記ガイドワイヤカニューレは、アプリケーション側部と、制御側部と、前記アプリケーション側部と前記制御側部との間に位置する傾斜部と、を含む、請求項１７に記載の搬送装置。
【請求項２０】
前記ＩＶＣフィルタは、前記ＩＶＵＳトランスデューサと独立して移動可能に構成され配置される、請求項１７に記載の搬送装置。
【請求項２１】
前記シースと前記ＩＶＣフィルタとは、前記シースの回転が前記ＩＶＣフィルタを回転させるように、それぞれ協働的に構成され配置される、請求項１７に記載の搬送装置。
【請求項２２】
シースと、血管内フィルタと、超音波トランスデューサと、ガイドワイヤカニューレと、拡張器とを含む搬送装置を用いて患者（ヒトを除く）の体内の血管内に血管内フィルタを導入する方法であって、前記超音波トランスデューサは撮像面を有し、前記方法は、
前記搬送装置を提供するステップと、
前記搬送装置を患者の身体の血管内に挿入するステップと、
前記撮像面が患者内の選択した場所と一致するように前記搬送装置を位置決めするステップと、
前記搬送装置を前記身体の血管内に残される前記血管内フィルタなしに引き抜くステップと、を含む方法。
【請求項２３】
前記血管内フィルタは除去フックを含み、前記操作ステップは前記撮像面に前記除去フックを位置決めすることを含む、請求項２２に記載の方法。
【請求項２４】
前記血管内フィルタが所望の配向を達成するために、前記血管内フィルタを配向させるため前記シースを回転させるステップを含む、請求項２２に記載の方法。
【請求項２５】
ＩＶＵＳトランスデューサが引き抜かれる際に前記血管内フィルタの配置を撮像するステップを含む、請求項２２に記載の方法。
【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
ユーザ装置(UE)で、ネットワークエンティティから送信電力制御(TPC)コマンドを受信するステップであって、前記TPCコマンドがTPCスロットの1つまたは複数のTPCスロットセットに分割される、ステップと、
前記TPCスロットセットのTPCスロットに対する復号されたシンボルをもたらす、前記1つまたは複数のTPCスロットセットの中のTPCスロットセットのTPCスロットを復号するステップと、
前記1つまたは複数のTPCスロットセットの各々における幾つかのTPCスロットの復号を省略するステップと、
前記TPCスロットの復号されたシンボルが、前記TPCスロットセット内の以前の復号されたシンボルと不一致であるかどうかを決定するステップと、
前記TPCスロットの前記復号されたシンボルが、前記TPCスロットセットの前記以前の復号されたシンボルと不一致であるとの判定に基づいて、前記TPCスロットセットの復号を停止するステップと、
前記TPCスロットセットの復号の停止に基づいて、前記TPCスロットセットの最後まで前記UEの受信機を非アクティブ化するステップと
を備える、ワイヤレス通信の方法。
【請求項２】
前記TPCスロットセットの後に前記UEの前記受信機を再アクティブ化して、1つまたは複数の追加のTPCスロットセットまたはTPCコマンドを受信するステップをさらに備える、請求項1に記載の方法。
【請求項３】
前記1つまたは複数のTPCスロットセットが、各々が無線フレーム内の5つのTPCスロットを有する3つのTPCスロットセットに分割される、請求項1に記載の方法。
【請求項４】
前記受信されたTPCコマンドが音声のみの呼である、請求項1に記載の方法。
【請求項５】
前記受信されたTPCコマンドがパケット交換呼、または回路交換呼である、請求項1に記載の方法。
【請求項６】
前記受信されたTPCコマンドが複数の無線アクセスベアラ(MRAB)呼である、請求項1に記載の方法。
【請求項７】
前記TPCスロットの前記復号されたシンボルがUPコマンドかDPWNコマンドのいずれかである、請求項1に記載の方法。
【請求項８】
前記1つまたは複数のTPCスロットセットの各々における幾つかのTPCスロットの前記復号を省略する前記ステップが、前記1つまたは複数のTPCスロットセットの各々の最初の3つのTPCスロットを省略するステップを備える、請求項1に記載の方法。
【請求項９】
送信電力が、前記1つまたは複数のTPCスロットセットの各々の最後の2つのTPCスロットに基づいて変化する、請求項1に記載の方法。
【請求項１０】
少なくとも1つのプロセッサと、
前記少なくとも1つのプロセッサに結合されたメモリと
を備え、前記少なくとも1つのプロセッサが、
ユーザ装置(UE)で、ネットワークエンティティから送信電力制御(TPC)コマンドを受信することであって、前記TPCコマンドがTPCスロットの1つまたは複数のTPCスロットセットに分割される、受信することと、
前記TPCスロットセットのTPCスロットに対する復号されたシンボルをもたらす、前記1つまたは複数のTPCスロットセットの中のTPCスロットセットのTPCスロットを復号することと、
前記1つまたは複数のTPCスロットセットの各々における幾つかのTPCスロットの復号を省略することと、
前記TPCスロットの復号されたシンボルが、前記TPCスロットセット内の以前の復号されたシンボルと不一致であるかどうかを決定することと、
前記TPCスロットの前記復号されたシンボルが、前記TPCスロットセットの前記以前の復号されたシンボルと不一致であるとの判定に基づいて、前記TPCスロットセットの復号を停止することと、
前記TPCスロットセットの復号の停止に基づいて、前記TPCスロットセットの最後まで前記UEの受信機を非アクティブ化することとを行う
ように構成される、ワイヤレス通信の装置。
【請求項１１】
前記少なくとも1つのプロセッサが、
前記TPCスロットセットの後に前記UEの前記受信機を再アクティブ化して、1つまたは複数の追加のTPCスロットセットまたはTPCコマンドを受信するようにさらに構成される、請求項10に記載の装置。
【請求項１２】
前記1つまたは複数のTPCスロットセットが、各々が無線フレーム内の5つのTPCスロットを有する3つのTPCスロットセットに分割される、請求項10に記載の装置。
【請求項１３】
前記受信されたTPCコマンドが音声のみの呼である、請求項10に記載の装置。
【請求項１４】
前記受信されたTPCコマンドがパケット交換呼、または回路交換呼である、請求項10に記載の装置。
【請求項１５】
前記受信されたTPCコマンドが複数の無線アクセスベアラ(MRAB)呼である、請求項10に記載の装置。
【請求項１６】
前記TPCスロットの前記復号されたシンボルがUPコマンドかDPWNコマンドのいずれかである、請求項10に記載の装置。
【請求項１７】
前記1つまたは複数のTPCスロットセットの各々における幾つかのTPCスロットの前記復号を省略するように構成された前記少なくとも1つのプロセッサが、前記1つまたは複数のTPCスロットセットの各々の最初の3つのTPCスロットを省略するようにさらに構成される、請求項10に記載の装置。
【請求項１８】
送信電力が、前記1つまたは複数のTPCスロットセットの各々の最後の2つのTPCスロットに基づいて変化する、請求項10に記載の装置。
【請求項１９】
ユーザ装置(UE)で、ネットワークエンティティから送信電力制御(TPC)コマンドを受信するための手段であって、前記TPCコマンドがTPCスロットの1つまたは複数のTPCスロットセットに分割される、手段と、
前記TPCスロットセットのTPCスロットに対する復号されたシンボルをもたらす、前記1つまたは複数のTPCスロットセットの中のTPCスロットセットのTPCスロットを復号するための手段と、
前記1つまたは複数のTPCスロットセットの各々における幾つかのTPCスロットの復号を省略するための手段と、
前記TPCスロットの復号されたシンボルが、前記TPCスロットセット内の以前の復号されたシンボルと不一致であるかどうかを決定するための手段と、
前記TPCスロットの前記復号されたシンボルが、前記TPCスロットセットの前記以前の復号されたシンボルと不一致であるとの判定に基づいて、前記TPCスロットセットの復号を停止するための手段と、
前記TPCスロットセットの復号の停止に基づいて、前記TPCスロットセットの最後まで前記UEの受信機を非アクティブ化するための手段と
を備える、ワイヤレス通信の装置。
【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
燃焼生成物を生成するように構成された１又はそれより多くの燃焼器を有する燃焼器セクションと、
前記燃焼生成物により駆動される１又はそれより多くのタービン段を上流端と下流端との間に有するタービンセクションと、
排気ガスとして前記燃焼生成物を受け取るように構成された排気路を有し前記タービンセクションの前記下流端から下流側に配置された排気セクションと、
該排気セクションに結合され、抽出排気ガス、該抽出排気ガスから分離されたガス、二酸化炭素、一酸化炭素、窒素酸化物、又はこれらの組み合わせを含み前記排気ガスよりも低い温度を有する冷却ガスを前記排気セクションに送るように構成された流体供給システムと、を備えている、
ことを特徴とするシステム。
【請求項２】
前記排気セクションは、前記流体供給システムに結合された冷却ガス通路を含み、該冷却ガス通路は、前記排気路に沿って少なくとも１つの壁を貫通して延びる、
請求項１に記載のシステム。
【請求項３】
前記冷却ガス通路は、前記排気路を取り囲む外側シュラウドキャビティ、該排気路によって取り囲まれた内側シュラウドキャビティ、該排気路内に突出したベーン、軸受アセンブリを有する軸受キャビティ、又はこれらの組み合わせのうちの少なくとも１つを貫通して延びる、
請求項１に記載のシステム。
【請求項４】
前記ガスタービンエンジンは、軸受ハウジングの軸受キャビティ内に配置された軸受アセンブリを備え、前記流体供給システムは、該軸受ハウジングに結合されて前記冷却ガスを該軸受ハウジングに送る、
請求項１に記載のシステム。
【請求項５】
前記流体供給システムは、排気ガス抽出システム、排気ガス処理システム、排気ガス再循環システム、炭素捕捉システム、ガス分離器、ガス精製器、貯蔵タンク、パイプライン、又はこれらのいずれかの組み合わせに結合される、
請求項１に記載のシステム。
【請求項６】
前記ガスタービンエンジンは、
前記タービンセクションによって駆動される排気ガス圧縮機を有する圧縮機セクションであって、該排気ガス圧縮機が、前記排気ガスを圧縮して前記タービン燃焼器に送るように構成される前記圧縮機セクションを備えている、
請求項１に記載のシステム。
【請求項７】
前記ガスタービンエンジンに結合された排気ガス抽出システムと、該排気ガス抽出システムに結合された炭化水素生成システムとを備えている、
請求項６に記載のシステム。
【請求項８】
前記ガスタービンエンジンは、量論的排気ガス再循環（ＳＥＧＲ）ガスタービンエンジンである、
請求項６に記載のシステム。
【請求項９】
ガスタービンエンジンのタービンセクションから下流側に装着するように構成され、該タービンセクションから排気ガスを受け取るように構成された排気路とタービン排気セクションの構造を通って延びる冷却ガス通路とを有するタービン排気セクションと、
前記排気ガスよりも低い温度を有し、抽出排気ガス、該抽出排気ガスから分離されたガス、二酸化炭素、一酸化炭素、窒素酸化物、又はこれらの組み合わせを含む冷却ガスを前記排気セクションの前記冷却ガス通路に送るように構成され、該排気セクションに結合された流体供給システムと、を備えている
ことを特徴とするシステム。
【請求項１０】
前記冷却ガス通路は、前記排気路から隔離される、
請求項９に記載のシステム。
【請求項１１】
前記流体供給システムは、温度制御システム、圧力制御システム、除湿システム、粒子状物質除去システム、又はこれらのいずれかの組み合わせを備えている、
請求項９に記載のシステム。
【請求項１２】
前記タービン排気セクションは、該タービン排気セクションの内部へのアクセスを与えるように構成されたマンウェイを有し、
前記マンウェイは、該マンウェイ内に前記冷却ガスの流れを閉じ込めるように構成されたシールを有している、
請求項９に記載のシステム。
【請求項１３】
前記タービン排気セクションは、該タービン排気セクションから前記冷却ガスを引き戻すように構成された通気孔を備えている、
請求項９に記載のシステム。
【請求項１４】
燃焼生成物を生成するようにタービン燃焼器の燃焼部分において酸化剤及び排気ガスと共に燃料を燃焼させる段階と、
前記タービン燃焼器からの前記燃焼生成物を用いてタービンを駆動する段階と、
排気セクション内の排気路を通して前記タービンからの前記燃焼生成物を膨張及び冷却する段階と、
流体供給システムから前記排気セクションに冷却ガスを送る段階と、を備え、
前記冷却ガスは、抽出排気ガス、該抽出排気ガスから分離されたガス、二酸化炭素、一酸化炭素、窒素酸化物、又はこれらの組み合わせを有している、
ことを特徴とする方法。
【請求項１５】
前記冷却ガスを前記流体供給システムから前記排気セクションの外側シュラウドキャビティに送る段階を有し、
前記外側シュラウドキャビティは、外側シュラウドと前記排気セクションのケーシングとの間に配置され、該外側シュラウドは、前記排気路の周りで円周方向に延びる、
請求項１４に記載の方法。
【請求項１６】
前記冷却ガスを前記流体供給システムからベーンの内部ベーンキャビティに送る段階を備え、
前記ベーンは、前記排気セクションの前記排気路の中に延びる、
請求項１４に記載の方法。
【請求項１７】
前記冷却ガスを前記流体供給システムから前記排気セクションの内側シュラウドキャビティに送る段階を備え、
内側シュラウドが、前記内側シュラウドキャビティの周りで円周方向に延び、前記排気路は、該内側シュラウドの周りで円周方向に延びる、
請求項１４に記載の方法。
【請求項１８】
前記冷却ガスを前記排気セクションの軸受キャビティを通して前記送る段階を備え、
前記軸受キャビティは、軸受アセンブリを備えている、
請求項１４に記載の方法。
【請求項１９】
前記排気セクションのマンウェイ内に前記冷却ガスの流れを密封する段階を備えている、
請求項１４に記載の方法。
【請求項２０】
少なくとも１つのキャビティを通して前記冷却ガスを循環させた後に前記タービン排気セクションから該冷却ガスを通気する段階を備えている、
請求項１４に記載の方法。